(57)【特許請求の範囲】
【請求項１】
物品を収納する収納本体の開口部を覆うための蓋体を、該蓋体の左右両側に装着された一対のヒンジ手段の回動中心軸回りに上下回動可能に支持させてなる収納装置において、
前記各ヒンジ手段は、前記収納本体側に固定される基部と、前記蓋体の側部に固定された取付け部材に対して取付けられる回動側部材とを備え、
前記各ヒンジ手段は、前記収納本体側に固定された前記基部に対する前記蓋体側における前記回動側部材が一定方向に回動する時の所定区間のみ回動速度を遅くするダンパー機能を備え、
前記各取付け部材には、前記一対のヒンジ手段の取付け位相を互いに異ならせるための取付け用の複数の取付け穴が設けられ、
前記蓋体の左右両側に対して、左右のヒンジ手段の取付け位相を、前記所定のダンパー区間が互いに逆になるようにして装着して、
前記収納本体に対する蓋体の全閉位置と全開位置との両近傍の所定区間で、前記蓋体の回動速度を遅くするように構成した
ことを特徴とする収納装置。
【請求項２】
前記各ヒンジ手段の回動中心を、前記蓋体の前後方向の中心位置より後方に偏位させて配置したことを特徴とする請求項１に記載の収納装置。
【請求項３】
前記蓋体は、上向き回動するとき収納本体の上方及び裏面側に位置して前記開口部を開放するようにドーム状に形成したことを特徴とする請求項１または２に記載の収納装置。
【発明の詳細な説明】
【０００１】
【発明の属する技術分野】
本発明は、食器乾燥機、ＣＤ（コンパクトディスク）やＣＤ−ＲＯＭ等の円板状の記録媒体の収納箱、小物入れ等の物品を収納するための収納装置に係り、より詳しくは、その収納本体に対する開閉回動可能な蓋体が全開位置及び全閉位置の近傍で回動速度を遅くして収納本体に衝撃を与えないようにする構成に関するものである。
【０００２】
【従来の技術】
収納本体に対して開閉回動可能に装着された蓋体を、全閉位置（または／及び全開位置）の近傍で回動速度を遅くして収納本体に衝撃を与えないようにする構成として、蓋体と収納本体とが前記全閉位置（または／及び全開位置）の近傍にて重り合う側面に摩擦部材を貼着し、蓋体が前記摩擦部材を通過するときに、その回動速度を低下させることが行われていた。
【０００３】
【発明が解決しようとする課題】
しかしながら、前記摩擦部材が磨耗して、ダンパー機能を発揮できなくなったり、弱くなる等の不都合があった。また、前記摩擦部材を貼着すべき個所である蓋体と収納本体とが前記全閉位置（または／及び全開位置）の近傍にて重り合う側面部分を別途形成しなければならず、蓋体または収納本体の形態の設計上に特別の工夫がいる等の問題があった。
【０００４】
本発明は、収納本体と蓋体との間に装着する左右一対のヒンジ手段に所定のダンパー機能を備えることにより、コンパクトで且つ確実に全閉位置及び全開位置で蓋体と収納本体との間で衝撃を与えないようにできる収納装置を提供することを目的とするものである。
【０００５】
【課題を解決するための手段】
前記目的を達成するため、請求項１に記載の発明の収納装置は、物品を収納する収納本体の開口部を覆うための蓋体を、該蓋体の左右両側に装着された一対のヒンジ手段の回動中心軸回りに上下回動可能に支持させてなる収納装置において、前記各ヒンジ手段は、前記収納本体側に固定される基部と、前記蓋体の側部に固定された取付け部材に対して取付けられる回動側部材とを備え、前記各ヒンジ手段は、前記収納本体側に固定された前記基部に対する前記蓋体側における前記回動側部材が一定方向に回動する時の所定区間のみ回動速度を遅くするダンパー機能を備え、前記各取付け部材には、前記一対のヒンジ手段の取付け位相を互いに異ならせるための取付け用の複数の取付け穴が設けられ、前記蓋体の左右両側に対して、左右のヒンジ手段の取付け位相を、前記所定のダンパー区間が互いに逆になるようにして装着して、前記収納本体に対する蓋体の全閉位置と全開位置との両近傍の所定区間で、前記蓋体の回動速度を遅くするように構成したものである。
【０００６】
【０００７】
【０００８】
また、請求項２に記載の発明は、請求項１に記載の収納装置において、前記各ヒンジ手段の回動中心を、前記蓋体の前後方向の中心位置より後方に偏位させて配置したものである。
【０００９】
さらに、請求項３に記載の発明は、請求項１または２に記載の収納装置において、前記蓋体は、上向き回動するとき収納本体の上方及び裏面側に位置して前記開口部を開放するようにドーム状に形成したものである。
【００１０】
【発明の実施の形態】
次に、本発明を具体化した実施形態について図面を参照しながら説明する。図１〜図５は第１実施形態を示し、本実施形態の収納装置１は複数枚のＣＤ（コンパクトディスク）やＣＤ−ＲＯＭ等の円板状の記録媒体２を立てた状態で収納するためのものであり、収納本体３は底板３ａと側面視略三角形状の左右両側板３ｂ，３ｂと背面板３ｃとからなる（図１（ｂ）及び図２（ｂ）参照）。前面開放状である収納本体３内には、前記記録媒体２を立てて差し込むための装着溝４ａが形成された支持台４を有し、底板３ａと支持台４との間には、記録媒体２を１枚ずつ装着溝４ａから取り出すためのレバー機構からなる突き出し装置５が配置されている（図２（ｂ）参照）。
【００１１】
前記収納本体３の前面開口部を覆うための蓋体６は合成樹脂材にてドーム状に形成されている。蓋体６の左右両側面板６ａは、略半円状の裏当て板７と円板状の支持板９とで挟持され、複数本のねじ１０にて固定されている。一方、左右一対のヒンジ手段１１は、図３（ａ）及び図５に示すように、収納本体３側にナット１５にて固定する切欠きボルト１２ａ付き基部１２と、該基部１２に対してその軸線回りに相対的に回動可能な筒状の回動側部材（ケーシング）１３とからなる。切欠きボルト１２ａは、その軸線を挟んで両側が切除されており、収納本体３の側面板３ｂに穿設された略小判型の取付け穴１６に回動不能に挿入した後、前記ナット１５を切欠きボルト１２ａに螺着して固定する。前記回動側部材１３の先端面には、略矩形の係合突起１４が一体的に突出されている。この係合突起１４は、図４（ａ）及び図４（ｂ）に示す取付け部材１７における十字状の取付け穴１９に対して９０度位相を変更して挿入係止できるように構成されており、取付け部材１７は前記円板状の支持板９の所定位置に複数のねじ２０を介して固定される。尚、取付け部材１７裏面に突出するダボ２１は、支持板９に穿設された係止穴（図示せず）に嵌まるように設定されている。また、前記円板状の支持板９の表面側を着脱自在な合成樹脂製のキャップ２２にて被嵌している。
【００１２】
次に、前記ヒンジ手段１１のダンパー機能について説明すると、図示しないが、回動側部材（ケーシング）１３の内径のオイル等の粘性流体が充填された室内に嵌まる軸状の基部１２はその軸線回りに相対的に正回転及び逆回転可能に装着され、基部１２の外周面に軸線に沿って伸びる突条に可動弁体を被嵌して基部１２の正回転時（相対的に回動する回動側部材１３が図６において反時計回りに回動するとき）には、前記可動弁体が回動側部材１３の内周面に密接するが、逆回転時には、可動弁体は回動側部材１３の内周面と密接しないようにする一方、回動側部材（ケーシング）１３の室内に内径方向に突出するストッパーに前記突条が当接した位置で基部１２の回動が停止できる。そして、前記基部１２の外周面には、その正回転の停止方向の終端部の所定角度範囲θ２以外の回動範囲θ１で、前記ストッパーの先端面との隙間から、その両側の室にオイル（粘性流体）が通過し得るオイル通過溝を形成する一方、前記所定角度範囲θ１では前記オイル通過溝の隙間寸法を小さくして、基部１２の回動の停止方向の終端部に接近するにつれて、ダンパー機能が発揮できるように構成されている（図６参照）。なお、実施例では、基部１２と回動側部材１３とが相対的に軽く回転できる回動範囲θ１は８０度程度であり、ダンパー機能を有するダンパー区間（所定角度範囲）θ２は３０度程度に設定されている。
【００１３】
従って、本実施例では、基部１２を収納本体３に固定した状態で、蓋体６側に固定した回動側部材１３が、図６において反時計回りに回動するとき（正回転時）には、回動開始から回動範囲θ１（＝８０度）内ではダンパー機能がなく、回動側部材１３は軽く迅速に回り、回動範囲の終端近傍の所定角度範囲θ２（＝３０度）では遅い速度で回動することになる。逆回転するとき（回動側部材１３が、図６において時計回りに回動するとき）には、（θ１＋θ２）の全範囲にわたってダンパー機能はなく、回動側部材１３は軽く迅速に回ることになる。
【００１４】
このような構成の一対のヒンジ手段１１、１１を、蓋体６の左右両側に装着するに際して、まず、図１（ｂ）に示すように、蓋体６の側面視において、当該蓋体６の前後方向の寸法の中央より寸法（Ｌ１）だけ後寄り部位に装着すると共に、図７（ａ）及び図７（ｂ）に示す如く、蓋体６に対する回動側部材１３の取付け角度（取付け位相）を略９０度異ならせて装着する。即ち、収納本体３に対する蓋体６の全閉位置（図１（ｂ）の実線状態）から全開位置（図１（ｂ）の二点鎖線状態）までの回動角度を略１１０度とするとき、蓋体６の左側面の支持板９に対しては、蓋体６の側面板６ａにおける開口フランジ部６ｂの延びる方向と平行状に取付け部材１７の長手方向の配置して固定するとき、当該取付け部材１７の長手方向と直交する方向の取付け穴１９に前記係合突起１４を嵌め入れる（図３（ｂ）、図７（ａ）参照）。他方、蓋体６の右側面の支持板９に対しては、取付け部材１７の長手方向に沿う方向の取付け穴１９に前記係合突起１４を嵌め入れる（図３（ｂ）、図７（ｂ）参照）。
【００１５】
このように構成すると、蓋体６が収納本体３に対して閉止状態に近づくとき、当該蓋体６の前後方向の重心位置が、前記後寄りに偏位させた左右両側のヒンジ手段１１、１１よりも前方に位置するから、蓋体６を閉める操作を実行すると、その蓋体６が収納本体３の開口縁に勢い良く衝突しようとするが、前記右側のヒンジ手段１１による回動終り区間の近傍の所定角度範囲θ２で発揮するダンパー機能により、収納本体３の開口縁に蓋体６がゆっくりと接近して閉止できる。逆に、蓋体６を開き動すると、全開位置に接近するに従って、当該蓋体６の前後方向重心位置が前記ヒンジ手段１１、１１よりも後方に位置するから、その蓋体６の後端縁が収納本体３の背面板３ｃの裏面などに勢い良く衝突せず、騒音を発しないと共に部品の損傷も防止できるのである。
【００１６】
このように、蓋体６の全閉位置と全開位置との両近傍の所定区間（ダンパー区間）で、当該蓋体６の回動速度を遅くすることができ、回動範囲のうち所定回動区間にのみダンパー機能を有する１種類のヒンジ手段を使って、蓋体６の全閉位置と全開位置との両近傍で緩衝作用を与えることができるという効果を奏する。
【００１７】
図８は、食器乾燥機等の収納装置１′に適用した第２実施形態であり、収納本体３′は前寄りの上部が開口部であって、ドーム状の蓋体６′の前後方向中央よりも後寄り部位に前記と同じ機能を有する左右一対のヒンジ手段１１、１１の回動側部材を直接的にもしくは前記の取付け部材１７を介して取り付けし、該各ヒンジ手段１１の基部を、収納本体３′の上部部材２４に固定したものであり、蓋体６′の開閉に伴う作用効果は前記第１実施形態と同じである。
【００１８】
蓋体６、６′をドーム状に形成すれば、収納本体１、１′内に収納した物品が蓋体の内径部に突出するような嵩高いものでも確実に覆うことができる。蓋体側面視下向きＬ字状等の偏平な形態であっても良い。
【００１９】
さらに、ヒンジ手段は、特公昭４８−１３１５０号公報に開示されているように、基部（回転子）を収容するケーシングの隔壁頂面を、回転子の回動範囲の略中央部の所定角度範囲に設け、この隔壁頂面と圧接するリップを回転子のボス部に設け、この圧接範囲では、ダンパー機能を発揮するが、前記リップが隔壁頂面と外れる回動範囲ではダンパー機能を有しない構成のものを利用することができる。その場合も、左右のヒンジ手段の取付け位相を略９０度もしくはそれ以上異ならせて固定すれば良い。
【００２０】
【発明の効果】
以上に詳述したように、請求項１に記載の発明の収納装置は、物品を収納する収納本体の開口部を覆うための蓋体を、該蓋体の左右両側に装着された一対のヒンジ手段の回動中心軸回りに上下回動可能に支持させてなる収納装置において、前記一対のヒンジ手段は、前記収納本体に対する蓋体の全閉位置と全開位置との両近傍の所定区間で、蓋体の回動速度を遅くするダンパー機能を備えたものであるから、このようなダンパー機能を有する左右一対のヒンジ手段を蓋体に装着するだけの簡単な作業で済み、且つコンパクトな構成で蓋体に全閉位置と全開位置で緩衝させることができるという効果を奏する。
【００２１】
また、請求項１に記載の発明では、前記各ヒンジ手段は、前記収納本体側に固定される基部と、前記蓋体の側部に固定された取付け部材に対して取付けられる回動側部材とを備え、前記各ヒンジ手段は、前記収納本体側に固定された前記基部に対する前記蓋体側における前記回動側部材が一定方向に回動する時の所定区間のみ回動速度を遅くするダンパー機能を備え、前記各取付け部材には、前記一対のヒンジ手段の取付け位相を互いに異ならせるための取付け用の複数の取付け穴が設けられ、前記蓋体の左右両側に対して、左右のヒンジ手段の取付け位相を、前記所定のダンパー区間が互いに逆になるようにして装着したものである。
このようなダンパー機能を有するヒンジ手段を利用すれば、蓋体の左右で取付け位相を変更するだけで、蓋体をその全閉位置と全開位置で緩衝させることができるという効果を奏する。
【００２２】
さらに、請求項１に記載の発明は、前記蓋体の左右両側に固定された各取付け部材には、前記一対のヒンジ手段の取付け位相を互いに異ならせるための取付け用の複数の取付け穴を設けたものである。このように２通りの取付け位相に対応する複数の取付け穴を有する取付け部材を予め準備しておけば、蓋体に対するヒンジ手段の装着作業が至極容易にできるという効果を奏する。
【００２３】
また、請求項２に記載の発明は、請求項１に記載の収納装置において、前記各ヒンジ手段の回動中心を、前記蓋体の前後方向の中心位置より後方に偏位させて配置したものである。このようにヒンジ手段の取付け位置を偏位させることで、当該蓋体の開き角度を大きくすることができ、また、開き回動及び閉じ回動させる途中で蓋体の重心位置がヒンジ手段の前方または後方に偏位して回動速度を速く且つ全開方向または全閉方向に蓋体が自動的に回動するものでありながら、ヒンジ手段のダンパー機能により、蓋体を全閉位置と全開位置で緩衝できるという効果を奏する。
【００２４】
さらに、請求項３に記載の発明は、請求項１または２に記載の収納装置において、前記蓋体は、上向き回動するとき収納本体の上方及び裏面側に位置して前記開口部を開放するようにドーム状に形成すれば、物品が蓋体のドーム内に入るような嵩高い寸法のものも収納本体に収納することができるという効果を奏する。
【図面の簡単な説明】
【図１】  （ａ）は蓋体を閉じた状態の収納装置の正面図、（ｂ）はその側面図である。
【図２】  （ａ）は蓋体を開いた状態の収納装置の正面図、（ｂ）はその側面図である。
【図３】  （ａ）はヒンジ手段及びその取付け部の拡大側断面図、（ｂ）はキャップを除去した状態の正面図である。
【図４】  （ａ）は取付け部材の拡大正面図、（ｂ）は図４（ａ）のIVb −IVb 線矢視断面図である。
【図５】  ヒンジ手段の斜視図である。
【図６】  ヒンジ手段の回動範囲とダンパー区間とを示す説明図である。
【図７】  （ａ）は蓋体の左側のヒンジ手段の取付け位相及びダンパー区間とを示す説明図、（ｂ）は蓋体の右側のヒンジ手段の取付け位相及びダンパー区間とを示す説明図である。
【図８】  収納装置の第２実施形態の側面図である。
【符号の説明】
１      収納装置
２      記録媒体
３      収納本体
６      蓋体
９      支持板
１１      ヒンジ手段
１２      基部
１３      回動部材
１４      係合突起
１７      取付け部材
【図１】
0003910062.tif 000002
【図２】
0003910062.tif 000003
【図３】
0003910062.tif 000004
【図４】
0003910062.tif 000005
【図５】
0003910062.tif 000006
【図６】
0003910062.tif 000007
【図７】
0003910062.tif 000008
【図８】
0003910062.tif 000009